(57)【要約】【課題】地下水などの金属イオンおよび不溶性物質を含む被処理水を浄水処理するに際し、砂ろ過等の大型設備を必要とせず、効率的に安定運転が可能な水処理方法の提供。【解決手段】金属イオンおよび不溶性物質を含む被処理水を、プレコート剤を保持したろ過膜により膜ろ過処理して不溶性物質を除去した後、脱塩処理する。その際、被処理水に還元剤を添加し、被処理水中の溶存酸素を実質的に除去し、金属イオンの酸化析出を抑制した状態で、前記膜ろ過処理及び脱塩処理をする。該還元剤は、膜ろ過処理前に、前記脱塩処理に伴う濃縮水および／または透過水に溶存酸素が実質的に含まれなくなるように添加される。【選択図】図１
2010137209.tif 000002
【特許請求の範囲】
【請求項１】
金属イオンおよび不溶性物質を含む被処理水を、プレコート剤を保持したろ過膜により膜ろ過処理して不溶性物質を除去した後、脱塩処理する方法であって、
前記被処理水に還元剤を添加し、該被処理水中の溶存酸素を実質的に除去し、金属イオンの酸化析出を抑制した状態で、前記膜ろ過処理及び脱塩処理をすることを特徴とする水処理方法。
【請求項２】
前記還元剤が、前記脱塩処理に伴う濃縮水および／または透過水に溶存酸素が実質的に含まれなくなるように添加されることを特徴とする請求項１に記載の水処理方法。
【請求項３】
前記還元剤が、前記被処理水中の溶存酸素および前記脱塩処理までに新たに溶解する酸素との反応に必要な理論量以上添加されることを特徴とする請求項１または請求項２に記載の水処理方法
【請求項４】
前記ろ過膜が、精密ろ過膜もしくは限外ろ過膜であることを特徴とする請求項１乃至３のいずれかに記載の水処理方法。
【請求項５】
前記ろ過膜の差圧回復方法として、逆通水を３乃至２４時間に１回の頻度で行い、薬品洗浄を１乃至７日間に１回の頻度で行うことを特徴とする請求項１乃至４のいずれかに記載の水処理方法。
【請求項６】
前記薬品洗浄に、酸および還元剤を含む洗浄薬液を用い、前記ろ過膜の１次側に該洗浄薬液を供給し一定時間保持或いは循環させた後、該洗浄薬液を回収し、酸及び還元剤の濃度を調整した後再使用することを特徴とする請求項５に記載の水処理方法。
【請求項７】
前記薬品洗浄後、すすぎ工程を実施せず通水を再開することを特徴とする請求項５または請求項６に記載の水処理方法。
【発明の詳細な説明】
【技術分野】
【０００１】  本発明は、浄水処理、工業用水製造などに用いられる水処理方法に関する。
【背景技術】
【０００２】  従来より水処理方法の一つとして、有機物の分解、除菌、金属等の除去を行うために、次亜塩素酸ナトリウムなどの塩素系酸化剤やオゾンなどの酸化剤を用いて被処理水を酸化処理する方法が用いられている。【０００３】  例えば地下水処理に於いては、酸化剤を添加し溶解している金属を一旦酸化析出せしめ、急速ろ過した後、精密ろ過膜もしくは限外ろ過膜などで処理するのが通常である。とりわけ、被処理水が深井戸を水源とする場合、水源が無酸素状態であるため溶存金属が多く精密ろ過膜もしくは限外ろ過膜を用いる場合、前段に急速ろ過が必須となる。そのため、水処理装置が大型化し、設置に大きなスペースが必要となる。また、砂ろ過塔や膜の逆洗を実施する必要があるため、これらの処理設備から多量の排水が発生する欠点がある。
更に、深井戸を水源とし精密ろ過膜もしくは限外ろ過膜により飲料水処理する場合、原水中の硬度成分やシリカなどが処理水中にも大部分残存することになるためスケールによる問題発生も懸念される。【０００４】  上記した諸問題に対処する例として、特許文献１には、処理工程の前段で多価金属イオンの一部を酸化処理し、析出した固形分を除去した後、得られた１次処理水をナノろ過膜もしくは逆浸透膜を用い高度処理する方法が開示されている。この場合、淡水処理用のナノろ過膜もしくは逆浸透膜は酸化剤に対する耐性を有していないため、原水の供給に際し予め還元剤を注入し残存する酸化剤を除去することが必須となる。加えて、この被処理水を飲料用水として使用する場合、ナノろ過膜もしくは逆浸透膜による水処理後に再度酸化剤である次亜塩素酸ナトリウムを添加し、飲料水中の残留塩素を０．１ｍｇ／Ｌ以上に保持する如く注入し管理することが必要となる。したがって、多種類の薬剤を複数回繰り返し添加せねばならず、薬液量も増え、コストがかかると共に工程が煩雑となる。【０００５】  また、原水水質にもよるが、固形分の除去に精密ろ過膜もしくは限外ろ過膜を用いた場合には、通常、１時間程度の通水処理実施後に逆通水を施すことから排水量が増加し、処理水回収率が低下する。
このように、従来の酸化処理を基にした水処理方法では、必要スペース、使用薬液量、多量の排水量など、非効率な面が多く、改良の余地があった。【０００６】  一方、特許文献２には、汲み上げた地下水を直接固液分離した後、ナノろ過膜もしくは逆浸透膜により処理する方法が開示されている。この方法は、薬液を削減している点で注目に値する。しかしこの方法に拠っても、処理工程において大気下で処理することから酸素の混入を完全に遮断することは難しく、その結果、原水中の鉄などの金属イオンが酸化され、酸化鉄などの金属酸化物の微粒子として析出してしまう。
酸化鉄は、粒径が１０ｎｍ〜５０００ｎｍと分布が広いことで知られているが、酸化鉄の除去に仮に精密ろ過膜もしくは限外ろ過膜を前処理に用いた場合、発生した酸化鉄により、非常に短期間に精密ろ過膜もしくは限外ろ過膜の閉塞が惹起される。また一旦膜閉塞が発生した場合、これらの不溶解性物質は粒径が非常に小さい為、膜の物理的洗浄である逆通水を実施しても、膜差圧は回復せず処理工程に支障を来す結果となる。また、逆通水の頻度を増加させると、処理水の回収率が低下してしまう。【０００７】  また酸化鉄は、水酸化鉄及びオキシ水酸化鉄と合わせて１６種類が知られているが、ベンガラなどに代表されるＦｅ２Ｏ３は、薬品に対する溶解性が非常に低く、原水中にこのような不溶性の酸化鉄が含まれていて、精密ろ過膜もしくは限外ろ過膜が閉塞した場合、薬品洗浄を実施しても初期状態への回復が非常に難しい。【０００８】  以上に説明した通り、現状で開示されている方法では十分な対処が果たされておらず、更に実効有る解決方策が求められている。【０００９】
【特許文献１】  特開平１１−１９２４８２号公報
【特許文献２】  特開２００７−３８０５２号公報
【発明の開示】
【発明が解決しようとする課題】
【００１０】  本発明は、金属イオンおよび不溶性物質を含む被処理水（例：地下水）を浄水処理するに際し、砂ろ過等の大型設備を必要とせず、効率的に安定運転が可能な水処理方法を提供することを目的としている。
【課題を解決するための手段】
【００１１】  本発明者等は、上記目的を達成するため鋭意研究した結果、金属イオンおよび不溶性物質を含む被処理水を膜ろ過により固液分離し脱塩処理するに際し、この一連の水処理工程を常時還元雰囲気下（溶存酸素を実質的に除去した状態下）で行うことにより、排水量を削減し、且つ安定的な運転が可能であることを見出し、本発明を完成するに至った。【００１２】  即ち本発明の水処理方法は、金属イオンおよび不溶性物質を含む被処理水を、プレコート剤（ろ過助剤）を保持したろ過膜により膜ろ過処理して不溶性物質を除去した後、脱塩処理する方法であって、前記被処理水に還元剤を添加し、該被処理水中の溶存酸素を実質的に除去し、金属イオンの酸化析出を抑制した状態で、前記膜ろ過処理及び脱塩処理をすることを特徴としている。【００１３】  上記還元剤は、上記脱塩処理に伴う濃縮水および／または透過水に溶存酸素が実質的に含まれなくなるように添加されることが好ましい。
具体的には、上記還元剤は、該脱塩処理に伴う濃縮水および／または透過水中の溶存酸素濃度を、例えば０．１ｍｇ／Ｌ以下に保持するように添加する。
上記還元剤は、上記被処理水中の溶存酸素および上記脱塩処理までに新たに溶解する酸素との反応に必要な理論量以上、好ましくは該理論量より過剰に添加されることが好ましい。ここで、還元剤の注入量は、例えば酸素除去に必要な理論量に対し１〜５０ｍｇ／Ｌ過剰に注入してもよい。【００１４】  ここで対象となる不溶性物質は、特に限定されないが、被処理水として地下水を用いた場合には、例えば、酸化鉄、酸化マンガンなどの金属酸化物、カルシウム化合物、土壌成分、有機物、微生物などが挙げられる。また、金属イオンとしては、鉄、マンガン、カルシウム、マグネシウムなどの金属のイオンが挙げられる。【００１５】  上記ろ過膜は、脱塩処理の前処理として不溶性物質（固形分）の除去を行うものであり、例えば、精密ろ過膜もしくは限外ろ過膜が好適に用いられる。
ここで、精密ろ過膜もしくは限外ろ過膜は、通水方式（内圧式、外圧式など）、膜素材（有機、無機など）、膜形状などを問わず全て用いることができるが、続く脱塩工程にナノろ過膜もしくは逆浸透膜を採用する場合は、ナノろ過膜、逆浸透膜の膜閉塞を防止するため、膜孔径が０．１μｍ以下の膜を用いることが好ましい。
ろ過方式としては酸素の溶解を低減し得るためデッドエンド方式が好ましく、逆通水の頻度は、前ろ過として主として用いる精密ろ過膜もしくは限外ろ過膜の能力及び被処理水性状から適宜決定される。【００１６】  上記脱塩処理は、被処理水中の金属イオンを除去する処理であり、主としてナノろ過膜もしくは逆浸透膜を用い処理することを示すが、膜の形状は問わず、スパイラル式、中空糸式などのいずれの手段をも用いることが出来、除去率、回収率、循環量、被処理水の性状を考慮し決定することが好ましい。【００１７】  本発明で用いられる還元剤は、溶存酸素を除去し得るものであれば特に限定されない。本発明の水処理方法が、飲料水の製造に用いられる場合には、水道用薬品の基準に適合するものが用いられ、例えば、亜硫酸塩もしくは重亜硫酸塩の１種もしくは２種以上を好適に使用することができる。【００１８】  本発明で用いられるプレコート剤（以下、保護剤ともいう）としては、平均粒径０．４〜５０μｍの微粒子が好ましく、精密ろ過膜もしくは限外ろ過膜に供給する場合には、膜の差圧流量特性を低下させない粒径分布及び注入量を選択することが好ましい。プレコート剤は、有機物もしくは無機物のいずれであってもよく、例えば、カオリン、ゼオライト、アルミナ、けい砂、活性炭、イオン交換樹脂、キレート樹脂、高分子ビーズなどが挙げられる。このようなプレコート剤は、１種類を単独でもしくは２種類以上を組み合わせて用いることが可能である。
また、プレコート剤は、原水性状に応じて適宜選択することが好ましい。その際、水に対する親和性、粒子形状、有機物の吸着能力などといった性状等を考慮し、プレコート剤微粒子の選択及びその混合割合を決定することが好ましい。
このようなプレコート剤をろ過膜表面にプレコートする方法としては、従来公知の方法が用いられる。【００１９】  上記ろ過膜の差圧回復方法として、逆通水の頻度を従来の頻度よりも低減し、薬品洗浄の頻度を従来の頻度より増やすことが好ましい。ここで、逆通水とは、通常膜ろ過運転時にはろ過膜の１次側から２次側に通水するが、ろ過膜の２次側から１次側に処理水等を通水することをいう。【００２０】  ろ過膜として精密ろ過膜もしくは限外ろ過膜を用いた場合、逆通水を１時間ごとに１回行い、薬品洗浄は、数週間から数カ月に１回実施されることが一般的である。ところで、本発明によれば、上述のように、ろ過膜への負荷を著しく低減することが可能となるので、逆通水の頻度を低減することが可能となる。また、一方で、薬品洗浄回数を増やしても、例えば、洗浄薬液として溶存酸素除去に用いるのと同じ還元剤を用いれば、すすぎ工程をせず、通水を再開することが可能となるので、薬品洗浄により操作負担が生じない。したがって、逆通水と薬品洗浄の頻度を最適化させることで、排水量を低減させることが可能となり、処理水回収率を向上させることが可能となると共に、メンテナンス回数を低減させることができるので、より長時間の安定運転が可能となる。【００２１】  精密ろ過膜もしくは限外ろ過膜の逆通水は、被処理水の性状を考慮して通水条件を決めることを基本とするが、被処理水中の溶存酸素を実質的に除去した状態下でのろ過に於いては、３から２４時間に１回程度行うのが好ましい。
また、薬品洗浄については、逆通水による差圧回復性と初期差圧から決定することが好ましいが、例えば１から７日間に１回程度実施する。【００２２】  上記薬品洗浄に、酸および還元剤を含む洗浄薬液を用い、上記ろ過膜の１次側に該洗浄薬液を供給し一定時間保持或いは循環させた後、該洗浄薬液を回収し、酸及び還元剤の濃度を調整した後再使用することが好ましい。
該薬品洗浄に用いられる洗浄薬液は、閉塞物により適宜選択することができるが、金属系の閉塞物が多い場合には、還元剤と酸の組み合わせが好ましい。還元剤としては、特に亜硫酸塩もしくは重亜硫酸塩の１種もしくは２種以上を好適に使用することができる。また、溶存酸素を除去するための還元剤と同じものを用いると、薬品管理の点で好ましい。
また、各種洗浄薬液の濃度及び保持時間は、薬液の種類、得られる洗浄効果などから適宜決定され、特に限定されるものではない。なお、濃度及び保持時間の決定にはろ過膜として使用される精密ろ過膜もしくは限外ろ過膜の薬品耐性も考慮する必要がある。【００２３】  上記薬品洗浄後、すすぎ工程を実施せず通液を再開することが好ましい。
即ち、次工程にすすぎ液を供給することで、すすぎ排水を削減し水処理回収率を向上出来る。更に、脱塩処理にナノろ過膜もしくは逆浸透膜を用いた場合には、該すすぎ液によりナノろ過膜もしくは逆浸透膜の１次側の殺菌及び洗浄を同時に行うことが可能となるので、脱塩処理工程の安定稼働も可能となる。
ここでナノろ過膜もしくは逆浸透膜にすすぎ液を送液した場合、ナノろ過膜もしくは逆浸透膜の処理水の導電率を監視し、導電率が所定値以上に達した場合、その処理水を中間水槽に返送することが好ましい。【００２４】  本発明の他の態様は、金属イオンおよび不溶性物質を含む被処理水に還元剤を注入する還元剤注入手段と、還元剤注入後の被処理水から不溶性物質を分離する固液分離装置と、該固液分離装置より得られる１次処理水から金属イオンを分離する、逆浸透膜またはナノろ過膜を備えた脱塩装置と、該脱塩装置より得られる濃縮水および／または透過水の溶存酸素濃度を測定する溶存酸素計とを備え、前記溶存酸素計で測定される溶存酸素濃度に応じて前記還元剤の注入量を制御する水処理システムである。
【発明の効果】
【００２５】  本発明の水処理方法によれば、被処理水に還元剤を添加し、被処理水中の溶存酸素を実質的に除去しているので、被処理水中に含まれる金属イオンの酸化析出を抑制しつつ、膜ろ過及び脱塩処理を行うことが可能となる。したがって、ろ過膜に付着し、薬品洗浄等によっても除去し難い膜閉塞の原因となる不溶性物質の量を最小限に留めことが可能となり、ろ過膜のメンテナンス回数を低減し、排水量を減らすことが可能となる。また、膜面にプレコート剤を保持することにより、膜差圧の上昇を抑制することが可能であると共に、ろ過膜に付着した不溶性物質の除去を容易とすることが可能となる。したがって、安定稼働が可能でかつ水処理回収率を向上し得る水処理方法を提供することが可能となる。【００２６】  また、従来の酸化処理を基本とする方法では、処理工程に砂ろ過などの大型設備を必要とし、更にナノろ過膜もしくは逆浸透膜を用いる場合には、ナノろ過膜もしくは逆浸透膜に供給する前に酸化剤を除去し、処理後に酸化剤の再度添加が必要となるなど、工程が複雑で薬液量などのコストも高かった。しかし、本発明によれば、大型設備を必要としないため、省スペース化を図ることが可能であり、また、還元処理を基本とするため、薬液量を低減し、処理工程を簡略化することが可能となる。したがって、本発明の方法によれば極めて安価に水質のよい飲料水を安定して得ることが可能となる点で工業的効用は著大であるものと確信する。
【発明を実施するための最良の形態】
【００２７】  以下、本発明の実施の形態を図１に基づいて説明する。
図１は、本発明の一実施形態に係る水処理方法に好適に用いられる水処理システムの全体の流れを説明するために示したフロー図である。【００２８】  図１に示すように、この水処理システムは、井戸１より汲み上げられる原水に溶存酸素を除去するために還元剤を注入する還元剤注入手段と、不溶性金属成分（例：不溶性金属酸化物）などの不溶性物質を固液分離する膜分離装置（ＭＳ）２（以下、固液分離装置ともいう）と、膜分離装置２からの１次処理水を脱塩処理する逆浸透膜（ＲＯ）３とを主に備えている。【００２９】  ここで還元剤注入手段は、還元剤タンクＴ２及び第１の還元剤ポンプＰ４から主に構成されている。還元剤の注入量は、逆浸透膜３の濃縮水を排水する濃縮排水ラインＬ７に設けられた溶存酸素計（ＤＯ）４により計測される測定値が常時０ｍｇ／Ｌ付近となるよう調節される。還元剤注入量の管理方法は、特には限定されないが、例えば、ＤＯ計４の測定データを図示せぬ制御部に送り、測定値が所定値（例えば０．１ｍｇ／Ｌ）を一定時間（例えば１２０秒間）超えた場合に、還元剤の注入量を増加するよう第１の還元剤ポンプＰ４に指示するよう構成してもよい。その際、還元剤の増加量は、例えば増加した酸素量に応じた量（反応当量）またはそれを越える値とし、溶存酸素濃度が所定値に戻った際には、還元剤の注入量を初期注入量に戻すよう構成してもよい。また、予め被処理水に含まれる溶存酸素量、本水処理行程で混入する酸素量、酸素との反応以外に消費される還元剤の消費量等のデータを収集し、当該データに基づき必要とされる還元剤の量を算出し、当該計算値以上の還元剤を注入することとしてもよい。【００３０】  図１に、水処理ラインを破線で示し、薬洗ラインを一点鎖線で示した。水処理ラインは、被処理水中の不溶性物質を膜ろ過により固液分離した後、被処理水中に残存する金属イオンを脱塩処理するラインである。具体的には、図１に示すように、井戸１より汲み上げた地下水（被処理水）を膜分離装置２へ移送し、膜分離後に得られる１次処理水を中間タンクＴ３を介して逆浸透膜３に移送し、脱塩処理後の透過水を処理水タンクＴ４に移送するまでのラインをいう。【００３１】  薬洗ラインは、膜分離装置２の洗浄を行うためのラインであり、具体的には、図１に示すように、薬液タンクＴ５内に貯留された薬液を薬品供給ラインＬ１０を介して膜分離装置２に移送し、洗浄後の薬液を薬品回収ラインＬ１１を介して再び薬液タンクＴ５に返送する循環ラインをいう。【００３２】  なお、上記実施形態では、脱塩処理に逆浸透膜３を用いたが、逆浸透膜３に代えてナノろ過膜を用いてもよい。また、本実施形態では、ＤＯ計を濃縮排水ラインＬ７に設けたが、特に限定するものではなく、逆浸透膜３により分離される透過水及び／または濃縮水の経路（例えば、Ｌ５、Ｌ６、Ｌ１２など）のいずれに設けてもよい。なお、還元剤は、膜ろ過前に添加されるが、その後の過程で補充してもよい。以上、本発明について説明したが、本発明はこれら及び後述の実施例に限定されて解釈されるものではなく、本発明の範囲を逸脱しない限り、当業者の知識に基づいて、種々の変更、修正、改良を加えることは可能である。
【実施例１】
【００３３】  本実施例に於いては、地下水（井戸水）にメタケイ酸ソーダ５水塩、カオリン、塩化第一鉄４水和物、塩化マンガン（ＩＩ）４水和物、シリカ分散剤（ＧＥ社製ＭＳＩ３００）、有機物として名糖産業（株）製名糖アップルティー（粉末紅茶）を添加し、ｐＨ＝６．７〜７．３、シリカ濃度５０ｍｇ／Ｌ、カオリン濃度が５０ｍｇ／Ｌ、鉄濃度１ｍｇ／Ｌ、マンガン濃度５０ｍｇ／Ｌ、ＴＯＣ濃度３ｍｇ／Ｌ、シリカ分散剤濃度が３ｍｇ／Ｌとなるように調製した模擬原水を供給原水として使用した。【００３４】  本実施例では、図１に示したフローに従い、下記の条件で地下水の飲料水化を行った。【００３５】  まず、通水を開始するに際し、準備動作として、中間タンクＴ３に図示せぬ供給ラインより水道水を供給して貯留した後、前処理ポンプＰ１を稼働させ、保護剤供給ラインＬ１より、膜分離装置２の１次側に送液を行い、得られたＭＳの１次処理水を、中間タンクＴ３に回収し、中間タンクＴ３とＭＳとの間を水道水が循環できる状態にした。この循環処理の最中に、必要に応じて保護剤タンクＴ１から保護剤ポンプＰ２により保護剤供給ラインＬ１に保護剤を供給し得る様に設定した。【００３６】  ここで、膜分離装置２には、ウェルシィ社製限外ろ過膜「ウェルピュアＳ」を用いた。また、保護剤は、林化成株式会社製含水カオリンＡＳＰ２００（平均粒径０．４μｍ）を８０ｇ／Ｌ用い、膜分離装置２を循環通水させた状態で、保護剤を注入し、ろ過膜の１次側に保護層を設け、流量、差圧が変化しないことを確認し実験に供した。【００３７】  次いで調製した原水は、井戸ポンプＰ３より原水供給ラインＬ２を介し膜分離装置２に移送し、その際、原水供給ラインＬ２に還元剤タンクＴ２より第１の還元剤ポンプＰ４を用いて還元剤を注入した。逆浸透膜３による脱塩後の濃縮排水を溶存酸素計４により測定し、得られる測定値に応じて還元剤注入量の管理を行った。ここで、溶存酸素計４は、株式会社堀場アドバンスドテクノ社製工業用溶存酸素計（型名：ＨＤ−４８０、測定方式：ガルバニ電池法、分解能０．０１ｍｇ／Ｌ、繰り返し性±０．５％、直線性±０．５％）を用いた。
得られたＭＳの処理水は１次処理水送液ラインＬ３を経て中間タンクＴ３に貯留した。ここで、膜分離装置２は、膜ろ過流速２．４ｍ／Ｄａｙで通水出来る様に設定した。【００３８】  次いでこの処理水を、中間タンクＴ３から昇圧ポンプＰ５により１次処理水供給ラインＬ４を介し逆浸透膜３に供給し、得られた高度処理水は、導電率計（ＣＤ）５により計測を行い、７０μＳ／ｃｍ以下の条件で処理水ラインＬ５を介し処理水タンクＴ４に貯留し、７０μＳ／ｃｍを越える条件で、処理水循環ラインＬ１２を介し中間タンクＴ３に返送する様に設定した。【００３９】  また濃縮水は、一部を、循環ラインＬ６を通じ昇圧ポンプＰ５に供給し、残りは、濃縮排水ラインＬ７を経て排水した。
ここでＲＯ装置３としては、ダウ社製ＢＷ３０−４０４０を用い、回収率を７５％で処理出来る様に設定した。【００４０】  膜分離装置２の通液が所定の時間に到達したら、中間タンクＴ３から１次処理水を昇圧ポンプＰ５により逆通水ラインＬ８を経て膜分離装置２の２次側に供給し、その排水は排水ラインＬ９より排出し得る様に設定した。逆洗条件としては、任意の流量で６０秒間逆洗を実施後、通水再開出来る様に設定した。【００４１】  更に、膜分離装置２の通液が所定の時間に到達したら、薬品洗浄が実施できるように設定した。先ず排水ラインＬ９より膜分離装置２中の原水を排出し、その後薬液タンクＴ５から薬液供給ポンプＰ６により薬品供給ラインＬ１０を経て膜分離装置２の１次側に洗浄薬液を供給する。その際、薬洗ラインに、酸タンクＴ６から酸ポンプＰ７により酸を任意の量注入し、還元剤タンクＴ２から第２の還元剤ポンプＰ８により任意の量の還元剤を注入することが出来る様に設定した。
この薬液は、薬品回収ラインＬ１１より薬液タンクＴ５に回収し、任意の時間、薬液を循環出来る様に設定した。
なお、ここで還元剤としては重亜硫酸ナトリウムを２０％、酸としてはクエン酸を０．１％で用いた。【００４２】  供給原水中への還元剤注入量は、濃縮排水の溶存酸素濃度が０ｍｇ／Ｌでほぼ安定保持される状態に管理し給水を実施した。なお、溶存酸素の実測濃度は、処理工程の切り替えに伴う１２０秒以内の０．１ｍｇ／Ｌを超える瞬間的な溶存酸素濃度の上昇はあったが、１時間毎に算出した平均はいずれも０．０２ｍｇ／Ｌ（瞬間的上昇以外の最大値は０．０８ｍｇ／Ｌ）であった。また、限外ろ過膜の逆通水は、通常運転時（水処理運転時）の通水時間がそれぞれ１、３、６、１２、２４時間経過した後に実施する条件で評価を実施し、薬品洗浄は、１日毎に実施した。
ここで、実施例１に於いて実施した種々の逆通水間隔における差圧の経時変化を図２に示す。【００４３】  図２から、通水時間が１、３、６、１２、２４時間と長くなるにつれ限外ろ過膜の差圧が上昇することが確認できるが、すべての条件に於いても薬品洗浄実施後に、膜差圧が通水初期と同程度の０．０２ＭＰａ程度に回復していることが確認出来る。
このことから、供給原水から逆通水後の濃縮排水に至るまでの溶存酸素量を０ｍｇ／Ｌに管理し、精密ろ過膜もしくは限外ろ過膜表面に保護層を設けることで、膜差圧の上昇を低減し、逆通水頻度を削減することが可能であることが確認出来た。更に、定常的に薬品洗浄を実施することにより初期差圧に回復させることが出来、この結果により本件発明の効果を証明する事が出来た。尚、本実施例では、薬品洗浄を１日１回（２４時間毎に）実施しているが、井戸原水性状と膜差圧上昇程度を考慮し洗浄間隔を延ばすことも可能である。
【比較例１】
【００４４】  比較例１では、還元剤の注入量を供給原水中の溶存酸素濃度に相当する量とし、ＲＯ濃縮排水中の溶存酸素濃度が継続して０．２ｍｇ／Ｌ以上となる状態を含む溶存酸素の除去が十分とはいえない条件下で通水および再生を実施し、かつ限外ろ過膜の逆通水の頻度を下記とした以外は、実施例１と同様の条件で行った。
尚、この比較例１では、限外ろ過膜に保護剤を保持させ通水を行っている。
また、限外ろ過膜の逆通水は、通水時間が６時間経過した後実施する条件で評価を実施し、薬品洗浄は、１日毎に実施した。
ここで比較例１に於いて実施した限外ろ過膜の差圧経時変化を図３に、濃縮排水中の溶存酸素の経時変化を図４に夫々示す。
【００４５】  図３、図４に示されるように、逆浸透膜３の濃縮排水中の溶存酸素濃度が一旦継続して上昇した状態となった場合、その後に逆通水を行っても限外ろ過膜の差圧をほとんど回復することはできなかった。また、逆通水によっても差圧が解消しないまま運転を継続した場合、限外ろ過膜の差圧が２４時間経過後、初期差圧に対して０．１２ＭＰａ上昇することを確認した。このように、非常に短期間に差圧が上昇することから、薬品洗浄を１日複数回実施する必要があり、その間装置を停止しなければならない。また、想定以上の速度で閉塞が進行するなど、安定運転できないことが分かる。
【比較例２】
【００４６】  比較例２では、限外ろ過膜に保護剤を保持しない条件下で運転を実施し、限外ろ過膜の逆通水の頻度を下記とした以外は、実施例１に於ける条件と同様に実施した。
また、限外ろ過膜の逆通水は、通常運転の通水時間が６時間経過した後実施する条件で評価を実施し、薬品洗浄は、１日毎に実施した。
ここで比較例２に於いて実施した限外ろ過膜の差圧経時変化を図５に示す。
【００４７】  図５から、逆浸透膜３の濃縮排水中の溶存酸素濃度を０ｍｇ／Ｌ付近（最大０．６２ｍｇ／Ｌ）に保持した条件下で運転した場合、限外ろ過膜差圧が２４時間経過後、初期差圧に対して０．０４ＭＰａ上昇し、薬品洗浄を行っても０．０４ＭＰａまでしか回復しなかった。その後続けて通水を実施すると、３７時間後には、膜差圧が０．２ＭＰａを超過した。
この限外ろ過膜は、初回の薬品洗浄後にも通水初期差圧に回復せず１０日間の通水後薬品洗浄後には全く膜差圧が回復しない状況となり好ましくない現象となったとこを確認した。
【実施例２】
【００４８】  実施例２では、逆通水の頻度を、６時間毎に１回とした以外は、実施例１と同様の条件で行い、評価を行った。
ここで実施例２に於いて実施した限外ろ過膜の差圧経時変化を図６に、逆浸透膜の濃縮排水中の溶存酸素の経時変化を図７に、逆浸透膜の差圧経時変化を図８に、逆浸透膜処理水の導電率の経時変化を図９に、供給原水、限外ろ過膜処理水及び逆浸透膜処理水の水質を表１に夫々示す。なお、水質の測定法は、厚生労働省告示２６１号に従った。【００４９】
【表１】
2010137209.tif 000003
【００５０】  図６、図７から、溶解性及び不溶性金属成分を含む井戸原水を直接限外ろ過処理しても溶存酸素を０ｍｇ／Ｌ付近（最大０．０２ｍｇ／Ｌ）に保持し、限外ろ過膜の表面に保護剤を保持する条件下で運転を実施することで限外ろ過膜差圧を抑制し安定運転できることが分かる。
この連続運転でも限外ろ過膜の差圧は、薬品洗浄後に通水初期差圧に回復し、３か月間の通水期間、安定運転が可能であり、３ヶ月後の最後に薬品洗浄を実施した後の初期差圧は、０．０２ＭＰａと通水開始直後と同程度であることを確認した。【００５１】  また、図８、図９、表１から後段の処理に用いられる逆浸透膜３の膜差圧及びＲＯ処理水の水質が一定であること、及び溶解性の各種イオン及び有機物が除去され、水道法の基準を満たしていることから飲用水処理に適用することが可能であることが確認された。【００５２】  更に、薬品洗浄後のすすぎ液を逆浸透膜に供給してもＲＯ処理水の最大導電率は、７０μＳ／ｃｍであることを確認し、最低２０μＳ／ｃｍ、平均３２μＳ／ｃｍの処理水が安定して得られることを確認した。
これらは、井戸原水を直接限外ろ過もしくは精密ろ過することが出来、安定して処理可能なシステムおよび装置を提供するもので、この結果により本件発明の効果を証明する事が出来た。
【図面の簡単な説明】
【００５３】
【図１】  図１は、本発明の水処理方法の一実施形態を示すフロー図である。
【図２】  図２は、実施例１における限外ろ過膜の差圧の経時変化を示すグラフである。
【図３】  図３は、比較例１における限外ろ過膜の差圧の経時変化を示すグラフである。
【図４】  図４は、比較例１における濃縮水中の溶存酸素の経時変化を示すグラフである。
【図５】  図５は、比較例２における限外ろ過膜の差圧の経時変化を示すグラフである。
【図６】  図６は、実施例２における限外ろ過膜の差圧の経時変化を示すグラフである。
【図７】  図７は、実施例２における濃縮水中の溶存酸素の経時変化を示すグラフである。
【図８】  図８は、実施例２における逆浸透膜の差圧の経時変化を示すグラフである。
【図９】  図９は、実施例２における逆浸透膜の導電率の経時変化を示すグラフである。
【符号の説明】
【００５４】１        井戸
２        膜分離装置（ＭＳ）
３        逆浸透膜（ＲＯ）
４        溶存酸素計（ＤＯ）
５        導電率計（ＣＤ）
Ｌ１      保護剤供給ライン
Ｌ２      原水供給ライン
Ｌ３      １次処理水送液ライン
Ｌ４      １次処理水供給ライン
Ｌ５      処理水ライン
Ｌ６      循環ライン
Ｌ７      濃縮排水ライン
Ｌ８      逆通水ライン
Ｌ９      排水ライン
Ｌ１０    薬品供給ライン
Ｌ１１    薬品回収ライン
Ｌ１２    処理水循環ライン
Ｐ１      前処理ポンプ
Ｐ２      保護剤ポンプ
Ｐ３      井戸ポンプ
Ｐ４      第１の還元剤ポンプ
Ｐ５      昇圧ポンプ
Ｐ６      薬液供給ポンプ
Ｐ７      酸ポンプ
Ｐ８      第２の還元剤ポンプ
Ｔ１      保護剤タンク
Ｔ２      還元剤タンク
Ｔ３      中間タンク
Ｔ４      処理水タンク
Ｔ５      薬液タンク
Ｔ６      酸タンク
【図１】
2010137209.tif 000004
【図２】
2010137209.tif 000005
【図３】
2010137209.tif 000006
【図４】
2010137209.tif 000007
【図５】
2010137209.tif 000008
【図６】
2010137209.tif 000009
【図７】
2010137209.tif 000010
【図８】
2010137209.tif 000011
【図９】
2010137209.tif 000012